(57)【要約】 【課題】  外部メモリ側に設定される書込み禁止の状態と、ユーザが装置に対して行った操作によって変化した装置の状態とによって、装置の動作モードを決定することができる情報処理装置を提供する。【解決手段】  インクジェット複合機１は、メモリカード２４１がカードスロットに挿入され、メモリカード検出センサ２４２がメモリカード２４１の書込み禁止スイッチがオンであることを検出すると、読み込みモードの動作を行い、書込み禁止スイッチがオンでないことを検出すると、書込みモードの動作を行う。読み込みモードでは、たとえばフックスイッチ２３２がオフであると、ユーザがメモリカード２４１内のデータをＦＡＸ送信しようとしていると判断し、ＦＡＸ送信モードへ移行する。書込みモードでは、たとえばフックスイッチ２３２がオフであると、ユーザがメモリカード２４１へ通話録音しようとしていると判断し、通話録音モードへ移行する。【選択図】      図１
2008131394.tif 000002
【特許請求の範囲】
【請求項１】
複数の動作モードで情報を処理することができる情報処理手段を備える情報処理装置であって、
データの書込みを禁止する禁止状態に設定可能な記憶装置を着脱可能に装着する装着手段と、
記憶装置が装着手段に装着されると、装着された記憶装置が禁止状態に設定されているか否かを検出する禁止状態検出手段と、
装置に対して行われた操作によって変化する装置の状態を検出する状態検出手段とを含み、
前記情報処理手段は、
記憶装置が装着手段に装着され、装着された記憶装置が禁止状態に設定されていることを禁止状態検出手段が検出すると、前記複数の動作モードのうち記憶装置からデータを読み出す動作モードであって、かつ状態検出手段によって検出された装置の状態に対応する第１の動作モードで情報を処理し、
記憶装置が装着手段に装着され、装着された記憶装置が禁止状態に設定されていないことを禁止状態検出手段が検出すると、前記複数の動作モードのうち記憶装置にデータを書き込む動作モードであって、かつ状態検出手段によって検出された装置の状態に対応する第２の動作モードで情報を処理することを特徴とする情報処理装置。
【請求項２】
原稿を読み取るスキャナ部を含み、
前記状態検出手段は、原稿がスキャナ部にセットされた状態を検出する原稿検出手段を含み、
前記情報処理手段は、記憶装置が装着手段に装着され、装着された記憶装置が禁止状態に設定されていないことを禁止状態検出手段が検出し、かつ原稿検出手段がスキャナ部に原稿がセットされた状態を検出したときは、スキャナ部によって原稿を読み取り、読み取ったデータを記憶装置に書き込む動作モードで情報を処理することを特徴とする請求項１に記載の情報処理装置。
【請求項３】
印刷のための記録シート体にデータを印刷するプリンタ部を含み、
前記状態検出手段は、記録シート体がプリンタ部にセットされた状態を検出する記録シート体検出手段を含み、
前記情報処理手段は、記憶装置が装着手段に装着され、装着された記憶装置が禁止状態に設定されていることを禁止状態検出手段が検出し、かつ記録シート体検出手段がプリンタ部に記録シート体がセットされた状態を検出したときは、記憶装置からデータを読み出し、読み出したデータをプリンタ部に印刷させる動作モードで情報を処理することを特徴とする請求項１に記載の情報処理装置。
【請求項４】
前記状態検出手段は、装置が他の情報処理装置に接続された状態を検出する接続検出手段を含み、
前記情報処理手段は、
記憶装置が装着手段に装着され、装着された記憶装置が禁止状態に設定されていることを禁止状態検出手段が検出し、かつ装置が他の情報処理装置に接続された状態を接続検出手段が検出した場合は、記憶装置からデータを読み出し、読み出したデータを他の情報処理装置に送信する動作モードで情報を処理し、
記憶装置が装着手段に装着され、装着された記憶装置が禁止状態に設定されていないことを禁止状態検出手段が検出し、かつ装置が他の情報処理装置に接続された状態を接続検出手段によって検出した場合は、他の情報処理装置からデータを受信し、受信したデータを記憶装置に書き込む動作モードで情報を処理することを特徴とする請求項１に記載の情報処理装置。
【請求項５】
電話部またはファクシミリ部を含み、
前記状態検出手段は、通信回線を捕捉するためにオフフックされた状態を検出するオフフック検出手段を含み、
前記情報処理手段は、
記憶装置が装着手段に装着され、装着された記憶装置が禁止状態に設定されていることを禁止状態検出手段が検出し、かつオフフック検出手段がオフフックされた状態を検出した場合は、記憶装置からデータを読み出し、読み出したデータを電話部またはファクシミリ部によって送信させる動作モードで情報を処理し、
記憶装置が装着手段に装着され、装着された記憶装置が禁止状態に設定されていないことを禁止状態検出手段が検出し、かつオフフック検出手段がオフフックされた状態を検出した場合は、電話部またはファクシミリ部によってデータを受信し、受信したデータを記憶装置に書き込む動作モードで情報を処理することを特徴とする請求項１に記載の情報処理装置。
【発明の詳細な説明】
【技術分野】
【０００１】
本発明は、複数の動作モードで情報を処理することができる情報処理装置に関し、より詳細には、外部メモリへのデータ書込みモードと、外部メモリからのデータ読み込みモードとを有する情報処理装置であって、外部メモリの装着が検出された段階で、外部メモリが書込み禁止であるか否かの検出状態と、該情報処理装置の有する他のセンサの検出状態との組み合わせ条件によって、動作モードを決定する情報処理装置に関する。
【背景技術】
【０００２】
近年のデジタルカメラあるいは複合機のような多機能で多くの動作モードを備える情報処理装置においては、ユーザの所望する機能を、如何に分かり易くかつ少ない操作でユーザに提供することができるかが大きな課題である。
【０００３】
少ない操作でユーザの所望する機能を選択することができる装置として、外部メモリへのデータ書込みモードおよび外部メモリからのデータ読み込みモードのうちいずれかのモードを備える装置において、外部メモリが装置本体へ装着されたことを検出することによって、自動的にいずれかの動作モードへ移行するものがある。たとえば、この装置がデジタルカメラであれば、本体への外部メモリの装着が検出されると、自動的に撮影モードに移行する。またはこの装置がメモリカードダイレクト印刷機能を備える複合機であれば、本体への外部メモリの装着が検出されると、自動的にフォト印刷メニューをＬＣＤ（    Liquid Crystal Display）へ表示することが提案され実施されている。
【０００４】
しかしながら、外部メモリへのデータ書込みモードおよび外部メモリからのデータ読み込みモードの双方を備える装置においては、外部メモリを装着することによってだけでは、ユーザがどちらのモードへの移行を所望しているかを判断することができない。
【０００５】
モードの切換えを行う第１の従来の技術として、外部メモリ側で書込み禁止に設定されているか否かによって、モードの切換えを判断するデジタルカメラがある。このデジタルカメラは、外部メモリを書込み禁止にするための書込不可シールが外部メモリに貼られているか否かによって、ユーザがどちらのモードへの移行を所望しているかを判断し、撮影モードと再生モードとを切換える。すなわち、外部メモリに書込不可シールが貼られていないと、撮影モードへ移行し、外部メモリに書込不可シールが貼られていると、再生モードへ移行する。さらに、撮影モードにおいて、再生に関するイベント、たとえばレンズキャップ装着などのイベントが検出されると、再生モードに移行し、逆に、再生モードにおいて、撮影に関するイベント、たとえばフォーカス操作あるいはズーム操作などのイベントを検出すると撮影モードに移行する（たとえば特許文献１参照）。
【０００６】
モードの切換えを行う第２の従来の技術として、外部メモリ、たとえばメモリカードへの書込みを禁止するか否かを予め装置側に設定しておく情報処理装置がある。この情報処理装置は、メモリカードへの書込みを禁止するための禁止モードが予め装置側に設定されているか否かによって、メモリカード挿入時の装置の動作を変えるものである。具体的には、禁止モードが設定されている場合、ユーザがメモリカードを挿入すると、メモリカードへのデータの書込みを行わないモードに変える。この情報処理装置は、コピーモード、スキャンモード、フィルムモード、およびフォトモードの４つの動作モードを有するが、これらの動作モードは、スイッチによって選択される。たとえばスイッチによって選択された動作モードがフォトモードで、予め禁止モードが設定されているとき、メモリカードが挿入されると、メモリカードへのデータの書込みを行わないモード、つまりメモリカード内の画像を読み出して表示するためのモードへ、ユーザによるキー操作を行わずに自動的に移行することができる（たとえば特許文献２参照）。
【０００７】
【特許文献１】特開２００１−２５１５３８号公報
【特許文献２】特開２００６−７２９０５号公報
【発明の開示】
【発明が解決しようとする課題】
【０００８】
しかしながら、複合機のような多機能な装置においては、外部メモリへの書込み機能としては、原稿をスキャンしたデータの保存、受信したファクシミリデータの保存、録音した通話データの保存、および電話帳データのバックアップなど多数の動作モードが考えられる。さらに、外部メモリからの読み込み機能としては、デジタルカメラなどで撮影した画像データの再生、印刷、ファクシミリ送信、もしくはホストコンピュータへの転送、および電話帳データの本体登録など多数の動作モードが考えられる。外部メモリ側に貼り付けられる書込不可シールまたは装置側に設定された禁止モードだけを利用して、これらの多数の動作モードの中から、ユーザの所望の動作モードを自動的に決定することはできないという問題がある。
【０００９】
本発明の目的は、外部メモリ側に設定される書込み禁止の状態と、ユーザが装置に対して行った操作によって変化した装置の状態とによって、装置の動作モードを決定することができる情報処理装置を提供することである。
【課題を解決するための手段】
【００１０】
本発明は、複数の動作モードで情報を処理することができる情報処理手段を備える情報処理装置であって、
データの書込みを禁止する禁止状態に設定可能な記憶装置を着脱可能に装着する装着手段と、
記憶装置が装着手段に装着されると、装着された記憶装置が禁止状態に設定されているか否かを検出する禁止状態検出手段と、
装置に対して行われた操作によって変化する装置の状態を検出する状態検出手段とを含み、
前記情報処理手段は、
記憶装置が装着手段に装着され、装着された記憶装置が禁止状態に設定されていることを禁止状態検出手段が検出すると、前記複数の動作モードのうち記憶装置からデータを読み出す動作モードであって、かつ状態検出手段によって検出された装置の状態に対応する第１の動作モードで情報を処理し、
記憶装置が装着手段に装着され、装着された記憶装置が禁止状態に設定されていないことを禁止状態検出手段が検出すると、前記複数の動作モードのうち記憶装置にデータを書き込む動作モードであって、かつ状態検出手段によって検出された装置の状態に対応する第２の動作モードで情報を処理することを特徴とする情報処理装置である。
【００１１】
本発明に従えば、情報処理手段によって、複数の動作モードで情報が処理され、装着手段によって、データの書込みを禁止する禁止状態に設定可能な記憶装置が着脱可能に装着され、禁止状態検出手段によって、記憶装置が装着手段に装着されると、装着された記憶装置が禁止状態に設定されているか否かが検出され、状態検出手段によって、装置に対して行われた操作によって変化する装置の状態が検出される。さらに、前記情報処理手段によって、記憶装置が装着手段に装着され、装着された記憶装置が禁止状態に設定されていることが禁止状態検出手段によって検出されると、前記複数の動作モードのうち記憶装置からデータを読み出す動作モードであって、かつ状態検出手段によって検出された装置の状態に対応する第１の動作モードで情報が処理され、記憶装置が装着手段に装着され、装着された記憶装置が禁止状態に設定されていないことが禁止状態検出手段によって検出されると、前記複数の動作モードのうち記憶装置にデータを書き込む動作モードであって、かつ状態検出手段によって検出された装置の状態に対応する第２の動作モードで情報が処理されるので、着脱可能な記憶装置に設定される書込み禁止状態、たとえば外部メモリ側に設けられる書込み禁止スイッチの状態と、ユーザが装置に対して行った操作によって変化した装置の状態とによって、装置の動作モードを決定することができる。
【００１２】
また本発明は、原稿を読み取るスキャナ部を含み、
前記状態検出手段は、原稿がスキャナ部にセットされた状態を検出する原稿検出手段を含み、
前記情報処理手段は、記憶装置が装着手段に装着され、装着された記憶装置が禁止状態に設定されていないことを禁止状態検出手段が検出し、かつ原稿検出手段がスキャナ部に原稿がセットされた状態を検出したときは、スキャナ部によって原稿を読み取り、読み取ったデータを記憶装置に書き込む動作モードで情報を処理することを特徴とする。
【００１３】
本発明に従えば、原稿を読み取るスキャナ部が含まれ、前記状態検出手段によって、原稿がスキャナ部にセットされた状態を検出する原稿検出手段が含まれ、前記情報処理手段によって、記憶装置が装着手段に装着され、装着された記憶装置が禁止状態に設定されていないことを禁止状態検出手段が検出し、かつ原稿検出手段がスキャナ部に原稿がセットされた状態を検出したときは、スキャナ部によって原稿を読み取り、読み取ったデータを記憶装置に書き込む動作モードで情報が処理されるので、スキャナ部に原稿をセットして、書込み禁止状態でない記憶装置を装着すると、スキャナ部が原稿を読み取り、読み取ったデータを記憶装置に書き込むことができる。
【００１４】
また本発明は、印刷のための記録シート体にデータを印刷するプリンタ部を含み、
前記状態検出手段は、記録シート体がプリンタ部にセットされた状態を検出する記録シート体検出手段を含み、
前記情報処理手段は、記憶装置が装着手段に装着され、装着された記憶装置が禁止状態に設定されていることを禁止状態検出手段が検出し、かつ記録シート体検出手段がプリンタ部に記録シート体がセットされた状態を検出したときは、記憶装置からデータを読み出し、読み出したデータをプリンタ部に印刷させる動作モードで情報を処理することを特徴とする。
【００１５】
本発明に従えば、印刷のための記録シート体にデータを印刷するプリンタ部が含まれ、前記状態検出手段によって、記録シート体がプリンタ部にセットされた状態を検出する記録シート体検出手段が含まれ、前記情報処理手段によって、記憶装置が装着手段に装着され、装着された記憶装置が禁止状態に設定されていることを禁止状態検出手段が検出し、かつ記録シート体検出手段がプリンタ部に記録シート体がセットされた状態を検出したときは、記憶装置からデータを読み出し、読み出したデータをプリンタ部に印刷させる動作モードで情報が処理されるので、プリンタ部に記録シート体、たとえば記録紙をセットして、書込み禁止状態の記憶装置を装着すると、記憶装置からデータを読み出してプリンタ部に印刷させることができる。
【００１６】
また本発明は、前記状態検出手段は、装置が他の情報処理装置に接続された状態を検出する接続検出手段を含み、
前記情報処理手段は、
記憶装置が装着手段に装着され、装着された記憶装置が禁止状態に設定されていることを禁止状態検出手段が検出し、かつ装置が他の情報処理装置に接続された状態を接続検出手段が検出した場合は、記憶装置からデータを読み出し、読み出したデータを他の情報処理装置に送信する動作モードで情報を処理し、
記憶装置が装着手段に装着され、装着された記憶装置が禁止状態に設定されていないことを禁止状態検出手段が検出し、かつ装置が他の情報処理装置に接続された状態を接続検出手段によって検出した場合は、他の情報処理装置からデータを受信し、受信したデータを記憶装置に書き込む動作モードで情報を処理することを特徴とする。
【００１７】
本発明に従えば、前記状態検出手段によって、装置が他の情報処理装置に接続された状態を検出する接続検出手段が含まれ、前記情報処理手段によって、記憶装置が装着手段に装着され、装着された記憶装置が禁止状態に設定されていることを禁止状態検出手段が検出し、かつ装置が他の情報処理装置に接続された状態を接続検出手段が検出した場合は、記憶装置からデータを読み出し、読み出したデータを他の情報処理装置に送信する動作モードで情報が処理され、記憶装置が装着手段に装着され、装着された記憶装置が禁止状態に設定されていないことを禁止状態検出手段が検出し、かつ装置が他の情報処理装置に接続された状態を接続検出手段によって検出した場合は、他の情報処理装置からデータを受信し、受信したデータを記憶装置に書き込む動作モードで情報が処理されるので、装置が他の情報処理装置に接続された状態で、書込み禁止状態の記憶装置を装着すれば、記憶装置に記憶されたデータを他の情報処理装置に送信することができ、書込み禁止状態でない記憶装置を装着すれば、他の情報処理装置から受信したデータを記憶装置に記憶することができる。
【００１８】
また本発明は、電話部またはファクシミリ部を含み、
前記状態検出手段は、通信回線を捕捉するためにオフフックされた状態を検出するオフフック検出手段を含み、
前記情報処理手段は、
記憶装置が装着手段に装着され、装着された記憶装置が禁止状態に設定されていることを禁止状態検出手段が検出し、かつオフフック検出手段がオフフックされた状態を検出した場合は、記憶装置からデータを読み出し、読み出したデータを電話部またはファクシミリ部によって送信させる動作モードで情報を処理し、
記憶装置が装着手段に装着され、装着された記憶装置が禁止状態に設定されていないことを禁止状態検出手段が検出し、かつオフフック検出手段がオフフックされた状態を検出した場合は、電話部またはファクシミリ部によってデータを受信し、受信したデータを記憶装置に書き込む動作モードで情報を処理することを特徴とする。
【００１９】
本発明に従えば、電話部またはファクシミリ部が含まれ、前記状態検出手段によって、通信回線を捕捉するためにオフフックされた状態を検出するオフフック検出手段が含まれ、前記情報処理手段によって、記憶装置が装着手段に装着され、装着された記憶装置が禁止状態に設定されていることを禁止状態検出手段が検出し、かつオフフック検出手段がオフフックされた状態を検出した場合は、記憶装置からデータを読み出し、読み出したデータを電話部またはファクシミリ部によって送信させる動作モードで情報が処理され、記憶装置が装着手段に装着され、装着された記憶装置が禁止状態に設定されていないことを禁止状態検出手段が検出し、かつオフフック検出手段がオフフックされた状態を検出した場合は、電話部またはファクシミリ部によってデータを受信し、受信したデータを記憶装置に書き込む動作モードで情報が処理されるので、オフフックの状態で、書込み禁止状態の記憶装置を装着すれば、記憶装置に記憶されたデータを電話部またはファクシミリ部に送信させることができ、書込み禁止状態でない記憶装置を装着すれば、電話部またはファクシミリ部が受信したデータを記憶装置に記憶することができる。
【発明の効果】
【００２０】
本発明によれば、着脱可能な記憶装置に設定される書込み禁止状態、たとえば外部メモリ側に設けられる書込み禁止スイッチの状態と、ユーザが装置に対して行った操作によって変化した装置の状態とによって、装置の動作モードを決定することができる。すなわち、外部メモリ側に設けられた書込み禁止スイッチの状態に加え、装置の有するセンサが検出した状態を判断条件として付加することによって、ユーザが外部メモリを装着した目的の機能を絞り込み、目的にあった動作モードを決定することができ、ユーザの利便性を向上することができる。
【００２１】
また本発明によれば、スキャナ部に原稿をセットして、書込み禁止状態でない記憶装置を装着すると、スキャナ部が原稿を読み取り、読み取ったデータを記憶装置に書き込むことができるので、ユーザは、スイッチを操作することなく、原稿をスキャナで読み取ったデータを着脱可能な記憶装置に記憶することができる。
【００２２】
また本発明によれば、プリンタ部に記録シート体、たとえば記録紙をセットして、書込み禁止状態の記憶装置を装着すると、記憶装置からデータを読み出してプリンタ部に印刷させることができるので、ユーザは、スイッチを操作することなく、記憶装置に記憶されたデータを印刷することができる。
【００２３】
また本発明によれば、装置が他の情報処理装置に接続された状態で、書込み禁止状態の記憶装置を装着すれば、記憶装置に記憶されたデータを他の情報処理装置に送信することができ、書込み禁止状態でない記憶装置を装着すれば、他の情報処理装置から受信したデータを記憶装置に記憶することができるので、ユーザは、スイッチを操作することなく、装着する記憶装置の禁止状態を変えるだけで、他の情報処理装置へのデータの送信または他の情報処理装置からのデータの受信を切換えることができる。
【００２４】
また本発明によれば、オフフックの状態で、書込み禁止状態の記憶装置を装着すれば、記憶装置に記憶されたデータを電話部またはファクシミリ部に送信させることができ、書込み禁止状態でない記憶装置を装着すれば、電話部またはファクシミリ部が受信したデータを記憶装置に記憶することができるので、ユーザは、スイッチを操作することなく、装着する記憶装置の禁止状態を変えるだけで、電話部またはファクシミリ部によるデータの送信または受信を切換えることができる。
【発明を実施するための最良の形態】
【００２５】
図１は、本発明の実施の一形態であるインクジェット複合機１の基本構成を示す機能ブロック図である。情報処理装置であるインクジェット複合機１は、ＣＰＵ（Central     Processing Unit）１１、ＲＯＭ（Read Only Memory）１２、ＲＡＭ（Random Access    Memory）１３、バス１４、スキャナ制御部２１、表示制御部２２、電話・ファクシミリ制御部２３、メモリカード制御部２４、プリンタ制御部２５、ＵＳＢ（Universal  Serial Bus）制御部２６、データ管理部３１、画像処理部３２、スキャナ２１１、原稿センサ２１２、ＬＣＤ（Liquid Crystal Display）２２１、フックスイッチ２３２、メモリカード検出センサ２４２、インクジェットプリンタ２５１、記録紙センサ２５２、およびＵＳＢ接続センサ２６２を含む。
【００２６】
ＣＰＵ１１は、たとえば中央処理装置であるＣＰＵによって構成され、ＲＯＭ１２またはＲＡＭ１３に記憶されるプログラムを実行することによって、各制御部、データ管理部３１、および画像処理部３２を制御する。ＲＯＭ１２は、たとえばＲＯＭなどの読み出し専用の半導体メモリよって構成され、ＣＰＵ１１によって実行されるプログラムを記憶する。ＲＡＭ１３は、たとえばＲＡＭなどの書込み読み出し可能な半導体メモリよって構成され、ＣＰＵ１１によって実行されるプログラムおよびＣＰＵ１１が各制御部などを制御する際に用いるデータを記憶する。ＲＡＭ１３に記憶されるプログラムは、ＲＯＭ１２からロードされたプログラムもしくは後述するメモリカード２４１からメモリカード制御部２４を介してロードされたプログラムである。バス１４は、ＣＰＵ１１、ＲＯＭ１２、ＲＡＭ１３、スキャナ制御部２１、表示制御部２２、電話・ファクシミリ制御部２３、メモリカード制御部２４、プリンタ制御部２５、ＵＳＢ制御部２６、データ管理部３１、および画像処理部３２を接続するデータバスであり、これら相互間のデータの送受信を可能にする。
【００２７】
スキャナ制御部２１は、スキャナ制御部２１に接続されるスキャナ２１１および原稿センサ２１２を制御する。スキャナ２１１は、たとえばスキャナなどの読取装置によって構成され、原稿台にセットされた原稿を読み取り、読み取ったデータをスキャナ制御部２１に送る。原稿センサ２１２は、たとえば光センサによって構成され、原稿台に読み取り対象の原稿が物理的にセットされているか否かを検出し、検出結果をスキャナ制御部２１に知らせる。
【００２８】
表示制御部２２は、表示制御部２２に接続されるＬＣＤ２２１を制御する。ＬＣＤ２２１は、たとえばＬＣＤあるいはＣＲＴ（Cathode Ray Tube）などの表示装置によって構成され、表示制御部２２から指示されるデータを画面に表示する。電話・ファクシミリ制御部２３は、通信回線４１に接続され、電話による通話もしくは通信およびファクシミリによるデータの送受信を行うことができる。電話・ファクシミリ制御部２３には、フックスイッチ２３２が接続される。フックスイッチ２３２は、通信回線を捕捉するためにオフフックされているか否かを検出するフックスイッチによって構成され、検出結果を電話・ファクシミリ制御部２３に知らせる。
【００２９】
メモリカード制御部２４は、図示しないメモリカードスロットに挿入されるメモリカード２４１へのデータの書込み、およびメモリカード２４１からのデータの読み出しを制御する。メモリカード制御部２４には、メモリカード検出センサ２４２が接続される。メモリカード検出センサ２４２は、たとえば電気的に検出するセンサであり、メモリカードスロットにメモリカード２４１が装着されたか否かを検出し、さらに、メモリカードスロットに装着されたメモリカードがライトプロテクト状態つまり書込み禁止状態であるか否かを検出する。メモリカード検出センサ２４２は、検出結果をメモリカード制御部２４に知らせる。メモリカード２４１は、データを書込み読み出し可能な不揮発性の記憶装置であり、たとえばフラッシュメモリあるいはハードディスクなどが搭載された記憶装置である。メモリカード２４１には、書込み禁止スイッチが設けられており、書込み禁止スイッチがオンであると、書込み禁止状態である。
【００３０】
プリンタ制御部２５は、プリンタ制御部２５に接続されるインクジェットプリンタ２５１および記録紙センサ２５２を制御する。インクジェットプリンタ２５１は、たとえばインクジェットプリンタなどの印刷装置によって構成され、プリンタ制御部２５から指示されるデータを記録シート体、たとえば記録紙あるいはＯＨＰ（Overhead Projector）シートなどに印刷する。記録紙センサ２５２は、たとえばメカセンサによって構成され、記録紙トレイに記録シート体（以下単に「記録紙」という）が物理的にセットされているか否か検出し、検出結果をプリンタ制御部２５に知らせる。
【００３１】
ＵＳＢ制御部２６は、ＵＳＢケーブル４２によって他の情報処理装置、たとえばホストコンピュータと接続され、ホストコンピュータとデータの送受信を行うことができる。ＵＳＢ制御部２６には、ＵＳＢ接続センサ２６２が接続される。ＵＳＢ接続センサ２６２は、たとえば電気的に検出するセンサであり、ＵＳＢケーブル４２が装置本体に接続されているか否かを検出し、検出結果をＵＳＢ制御部２６に知らせる。このホスコンピュータとのインターフェイスについては、そのまま、ネットワークへ置き換えてもよい。すなわち、ＵＳＢケーブル接続ではなく、たとえば有線ＬＡＮ（Local Area Network）接続とし、ＵＳＢ接続センサ２６２を、ＬＡＮケーブルが物理的に接続されているか否かを検出するセンサに置き換えればよい。
【００３２】
データ管理部３１は、ＲＡＭ１３に記憶されている各種データ、たとえばスキャナ読み取りデータ、印刷データ、および電話帳データなどのデータの入出力管理を行う。画像処理部３２は、画像の拡大縮小、フォーマットの変換などの画像処理を行う。
【００３３】
図２は、図１に示したインクジェット複合機１の一般的な動作を示すフローチャートである。このフローチャートは、ＣＰＵ１１によって処理される動作である。メモリカード２４１が装着されたことをメモリカード制御部２４から知らされると、ステップＳ１に移る。
【００３４】
ステップＳ１では、メモリカード２４１の書込み禁止スイッチがオンか否かつまり書込み禁止状態であるか否かを判定する。この判定によって読み込みモードおよび書込みモードのうちいずれのモードに移行するかが決定される。メモリカード検出センサ２４２が検出した検出結果がメモリカード制御部２４から知らされるので、その検出結果に基づいて判定する。検出結果が書込み禁止状態であることを示していると、読み込みモードの動作を行うために、ステップＳ２に進む。検出結果が書込み禁止状態でないことを示していると、書込みモードの動作を行うために、ステップＳ５に進む。
【００３５】
ステップＳ２では、読み込みモードに係わるセンサＡがオンであるか否かを判定する。センサＡがオンであると、ステップＳ３に進み、センサＡがオンでないと、ステップＳ４に進む。ステップＳ３では、読み込みモードＡへ移行して終了する。すなわち動作モードを読み込みモードＡとして終了する。ステップＳ４では、読み込みモードＢへ移行して終了する。すなわち動作モードを読み込みモードＢとして終了する。
【００３６】
ステップＳ５では、書込みモードに係わるセンサＢがオンであるか否かを判定する。センサＢがオンであると、ステップＳ６に進み、センサＢがオンでないと、ステップＳ７に進む。ステップＳ６では、書込みモードＡへ移行して終了する。すなわち動作モードを書込みモードＡとして終了する。ステップＳ７では、書込みモードＢへ移行して終了する。すなわち動作モードを書込みモードＢとして終了する。
【００３７】
図３は、図１に示したインクジェット複合機１の具体的な動作を示すフローチャートである。ＣＰＵ１１は、ＲＯＭ１２またはＲＡＭ１３に記憶されるプログラムを実行することによって、このフローチャートの処理を行う。メモリカード２４１が装着されたことをメモリカード制御部２４から知らされると、ステップＴ１に移る。
【００３８】
ステップＴ１では、メモリカード２４１の書込み禁止スイッチがオンか否かつまり書込み禁止状態であるか否かを判定する。この判定によって読み込みモードおよび書込みモードのうちいずれのモードに移行するかが決定される。メモリカード検出センサ２４２が検出した検出結果がメモリカード制御部２４から知らされるので、その検出結果に基づいて判定する。検出結果が書込み禁止状態であることを示していると、読み込みモードの動作を行うために、ステップＴ２に進む。検出結果が書込み禁止状態でないことを示していると、書込みモードの動作を行うために、ステップＴ９に進む。
【００３９】
ステップＴ２では、フックスイッチ２３２がオフか否かを判定する。フックスイッチ２３２がオフであると、ユーザがメモリカード２４１内のデータをファクシミリ（以下「ＦＡＸ」という）送信しようとしていると判断し、ステップＴ３に進み、フックスイッチ２３２がオフでないと、ステップＴ４に進む。ステップＴ３では、ＦＡＸ送信モードへ移行して終了する。ＦＡＸ送信モードは、メモリカード２４１に記憶されているデータをメモリカード制御部２４によって読み出し、読み出したデータを電話・ファクシミリ制御部２３にＦＡＸ送信させる動作モードである。
【００４０】
ステップＴ４では、記録紙センサ２５２がオンであるか否かを判定する。記録紙がセットされていることを記録紙センサ２５２が検出すると、記録紙センサ２５２がオンであると判定し、ステップＴ５に進む。記録紙センサ２５２がオンであると、ユーザがメモリカード２４１内のデータを印刷しようとしていると判断する。記録紙がセットされていることを記録紙センサ２５２が検出しないと、記録紙センサ２５２がオンでないと判定し、ステップＴ６に進む。ステップＴ５では、印刷モードへ移行して終了する。印刷モードは、メモリカード２４１に記憶されているデータをメモリカード制御部２４によって読み出し、読み出したデータをプリンタ制御部２５によってインクジェットプリンタ２５１で印刷させる動作モードである。
【００４１】
ステップＴ６では、ＵＳＢ接続センサ２６２がオンであるか否かを判定する。ＵＳＢケーブル４２が装置本体に接続されていることをＵＳＢ接続センサ２６２が検出すると、ＵＳＢ接続センサ２６２がオンであると判定し、ステップＴ７に進む。ＵＳＢ接続センサ２６２がオンであると、ユーザがメモリカード２４１内のデータをホストコンピュータ、たとえばパーソナルコンピュータ（以下「ＰＣ」という）へ転送しようとしていると判断する。ＵＳＢケーブル４２が装置本体に接続されていないことをＵＳＢ接続センサ２６２が検出すると、ＵＳＢ接続センサ２６２がオンでないと判定し、ステップＴ８に進む。ＵＳＢ接続センサ２６２がオンでないと、ユーザがメモリカード２４１内の電話帳データを装置へ取り込もうとしていると判断する。
【００４２】
ステップＴ７では、ＰＣへの転送モードへ移行して終了する。ＰＣへの転送モードは、メモリカード２４１に記憶されているデータをメモリカード制御部２４によって読み出し、ＵＳＢケーブル４２を介して接続されるＰＣに、読み出したデータをＵＳＢ制御部２６によって送信する動作モードである。ステップＴ８では、電話帳取込モードへ移行して終了する。電話帳取込モードは、メモリカード２４１に記憶されている電話帳データをメモリカード制御部２４によって読み出し、読み出した電話帳データをデータ管理部３１の管理の下でＲＡＭ１３に記憶する動作モードである。
【００４３】
ステップＴ９では、フックスイッチ２３２がオフか否かを判定する。フックスイッチ２３２がオフであると、ユーザがメモリカード２４１へ通話録音しようとしていると判断し、ステップＴ１０に進み、フックスイッチ２３２がオフでないと、ステップＴ１１に進む。ステップＴ１０では、通話録音モードへ移行して終了する。通話録音モードは、電話・ファクシミリ制御部２３によって行われる通話を、メモリカード制御部２４によってメモリカード２４１へ録音するつまり書き込む動作モードである。
【００４４】
ステップＴ１１では、原稿センサ２１２がオンであるか否かを判定する。原稿がセットされていることを原稿センサ２１２が検出すると、原稿センサ２１２がオンであると判定し、ステップＴ１２に進む。原稿センサ２１２がオンであると、ユーザが原稿台にセットされている原稿をスキャンしてメモリカード２４１へ保存しようとしていると判断する。原稿がセットされていることを原稿センサ２１２が検出しないと、原稿センサ２１２がオンでないと判定し、ステップＴ１３に進む。ステップＴ１２では、スキャン保存モードへ移行して終了する。スキャン保存モードは、スキャナ制御部２１がスキャナ２１１に原稿を読み取らせ、読み取らせたデータをメモリカード制御部２４によってメモリカード２４１へ書き込む動作モードである。
【００４５】
ステップＴ１３では、ＵＳＢ接続センサ２６２がオンであるか否かを判定する。ＵＳＢケーブル４２が装置本体に接続されていることをＵＳＢ接続センサ２６２が検出すると、ＵＳＢ接続センサ２６２がオンであると判定し、ステップＴ１４に進む。ＵＳＢ接続センサ２６２がオンであると、ユーザがＰＣ内のデータをメモリカード２４１へ保存しようとしていると判断する。ＵＳＢケーブル４２が装置本体に接続されていないことをＵＳＢ接続センサ２６２が検出すると、ＵＳＢ接続センサ２６２がオンでないと判定し、ステップＴ１５に進む。ＵＳＢ接続センサ２６２がオンでないと、ユーザがメモリカード２４１へ電話帳データを保存しようとしていると判断する。
【００４６】
ステップＴ１４では、ＰＣからの転送モードへ移行して終了する。ＰＣからの転送モードは、ＵＳＢケーブル４２を介して接続されるＰＣからのデータをＵＳＢ制御部２６によって受信し、受信したデータをメモリカード制御部２４によってメモリカード２４１へ書き込む動作モードである。ステップＴ１５では、電話帳保存モードへ移行して終了する。電話帳保存モードは、データ管理部３１の管理の下でＲＡＭ１３に記憶される電話帳データをメモリカード制御部２４によってメモリカード２４１へ書き込む動作モードである。
【００４７】
このように、情報処理手段によって、複数の動作モードで情報が処理され、装着手段によって、データの書込みを禁止する禁止状態に設定可能な記憶装置が着脱可能に装着され、禁止状態検出手段によって、記憶装置が装着手段に装着されると、装着された記憶装置が禁止状態に設定されているか否かが検出され、状態検出手段によって、装置に対して行われた操作によって変化する装置の状態が検出される。さらに、前記情報処理手段によって、記憶装置が装着手段に装着され、装着された記憶装置が禁止状態に設定されていることが禁止状態検出手段によって検出されると、前記複数の動作モードのうち記憶装置からデータを読み出す動作モードであって、かつ状態検出手段によって検出された装置の状態に対応する第１の動作モードで情報が処理され、記憶装置が装着手段に装着され、装着された記憶装置が禁止状態に設定されていないことが禁止状態検出手段によって検出されると、前記複数の動作モードのうち記憶装置にデータを書き込む動作モードであって、かつ状態検出手段によって検出された装置の状態に対応する第２の動作モードで情報が処理されるので、着脱可能な記憶装置に設定される書込み禁止状態、たとえば外部メモリ側に設けられる書込み禁止スイッチの状態と、ユーザが装置に対して行った操作によって変化した装置の状態とによって、装置の動作モードを決定することができる。すなわち、外部メモリ側に設けられた書込み禁止スイッチの状態に加え、装置の有するセンサが検出した状態を判断条件として付加することによって、ユーザが外部メモリを装着した目的の機能を絞り込み、目的にあった動作モードを決定することができ、ユーザの利便性を向上することができる。
【００４８】
情報処理手段は、たとえばＲＯＭ１２またはＲＡＭ１３に記憶されるプログラムを実行するＣＰＵ１１であり、装着手段は、たとえばカードスロットであり、記憶装置は、たとえばメモリカード２４１であり、禁止状態検出手段は、たとえばメモリカード検出センサ２４２であり、状態検出手段は、たとえば原稿センサ２１２、フックスイッチ２３２、記録紙センサ２５２、およびＵＳＢ接続センサ２６２など、装置への記憶装置とは異なる物体のセット状態、装着状態、あるいは着脱状態などを検出する手段である。スキャナ部は、たとえばスキャナ２１１であり、原稿検出手段は、たとえば原稿センサ２１２であり、プリンタ部は、たとえばインクジェットプリンタ２５１であり、記録シート体検出手段は、たとえば記録紙センサ２５２であり、接続検出手段は、たとえばＵＳＢ接続センサ２６２であり、電話部またはファクシミリ部は、たとえば電話・ファクシミリ制御部２３であり、オフフック検出手段は、たとえばフックスイッチ２３２である。
【００４９】
さらに、原稿を読み取るスキャナ部が含まれ、前記状態検出手段によって、原稿がスキャナ部にセットされた状態を検出する原稿検出手段が含まれ、前記情報処理手段によって、記憶装置が装着手段に装着され、装着された記憶装置が禁止状態に設定されていないことを禁止状態検出手段が検出し、かつ原稿検出手段がスキャナ部に原稿がセットされた状態を検出したときは、スキャナ部によって原稿を読み取り、読み取ったデータを記憶装置に書き込む動作モードで情報が処理されるので、スキャナ部に原稿をセットして、書込み禁止状態でない記憶装置を装着すると、スキャナ部が原稿を読み取り、読み取ったデータを記憶装置に書き込むことができる。したがって、ユーザは、スイッチを操作することなく、原稿をスキャナで読み取ったデータを着脱可能な記憶装置に記憶することができる。
【００５０】
さらにまた、印刷のための記録シート体にデータを印刷するプリンタ部が含まれ、前記状態検出手段によって、記録シート体がプリンタ部にセットされた状態を検出する記録シート体検出手段が含まれ、前記情報処理手段によって、記憶装置が装着手段に装着され、装着された記憶装置が禁止状態に設定されていることを禁止状態検出手段が検出し、かつ記録シート体検出手段がプリンタ部に記録シート体がセットされた状態を検出したときは、記憶装置からデータを読み出し、読み出したデータをプリンタ部に印刷させる動作モードで情報が処理されるので、プリンタ部に記録シート体、たとえば記録紙をセットして、書込み禁止状態の記憶装置を装着すると、記憶装置からデータを読み出してプリンタ部に印刷させることができる。したがって、ユーザは、スイッチを操作することなく、記憶装置に記憶されたデータを印刷することができる。
【００５１】
さらに、前記状態検出手段によって、装置が他の情報処理装置に接続された状態を検出する接続検出手段が含まれ、前記情報処理手段によって、記憶装置が装着手段に装着され、装着された記憶装置が禁止状態に設定されていることを禁止状態検出手段が検出し、かつ装置が他の情報処理装置に接続された状態を接続検出手段が検出した場合は、記憶装置からデータを読み出し、読み出したデータを他の情報処理装置に送信する動作モードで情報が処理され、記憶装置が装着手段に装着され、装着された記憶装置が禁止状態に設定されていないことを禁止状態検出手段が検出し、かつ装置が他の情報処理装置に接続された状態を接続検出手段によって検出した場合は、他の情報処理装置からデータを受信し、受信したデータを記憶装置に書き込む動作モードで情報が処理されるので、装置が他の情報処理装置に接続された状態で、書込み禁止状態の記憶装置を装着すれば、記憶装置に記憶されたデータを他の情報処理装置に送信することができ、書込み禁止状態でない記憶装置を装着すれば、他の情報処理装置から受信したデータを記憶装置に記憶することができる。したがって、ユーザは、スイッチを操作することなく、装着する記憶装置の禁止状態を変えるだけで、他の情報処理装置へのデータの送信または他の情報処理装置からのデータの受信を切換えることができる。
【００５２】
さらにまた、電話部またはファクシミリ部が含まれ、前記状態検出手段によって、通信回線を捕捉するためにオフフックされた状態を検出するオフフック検出手段が含まれ、前記情報処理手段によって、記憶装置が装着手段に装着され、装着された記憶装置が禁止状態に設定されていることを禁止状態検出手段が検出し、かつオフフック検出手段がオフフックされた状態を検出した場合は、記憶装置からデータを読み出し、読み出したデータを電話部またはファクシミリ部によって送信させる動作モードで情報が処理され、記憶装置が装着手段に装着され、装着された記憶装置が禁止状態に設定されていないことを禁止状態検出手段が検出し、かつオフフック検出手段がオフフックされた状態を検出した場合は、電話部またはファクシミリ部によってデータを受信し、受信したデータを記憶装置に書き込む動作モードで情報が処理されるので、オフフックの状態で、書込み禁止状態の記憶装置を装着すれば、記憶装置に記憶されたデータを電話部またはファクシミリ部に送信させることができ、書込み禁止状態でない記憶装置を装着すれば、電話部またはファクシミリ部が受信したデータを記憶装置に記憶することができる。したがって、ユーザは、スイッチを操作することなく、装着する記憶装置の禁止状態を変えるだけで、電話部またはファクシミリ部によるデータの送信または受信を切換えることができる。
【図面の簡単な説明】
【００５３】
【図１】本発明の実施の一形態であるインクジェット複合機１の基本構成を示す機能ブロック図である。
【図２】図１に示したインクジェット複合機１の一般的な動作を示すフローチャートである。
【図３】図１に示したインクジェット複合機１の具体的な動作を示すフローチャートである。
【符号の説明】
【００５４】
１  インクジェット複合機
１１  ＣＰＵ
１２  ＲＯＭ
１３  ＲＡＭ
１４  バス
２１  スキャナ制御部
２２  表示制御部
２３  電話・ファクシミリ制御部
２４  メモリカード制御部
２５  プリンタ制御部
２６  ＵＳＢ制御部
３１  データ管理部
３２  画像処理部
４１  通信回線
４２  ＵＳＢケーブル
２１１  スキャナ
２１２  原稿センサ
２２１  ＬＣＤ
２３２  フックスイッチ
２４１  メモリカード
２４２  メモリカード検出センサ
２５１  インクジェットプリンタ
２５２  記録紙センサ
２６２  ＵＳＢ接続検出センサ
【図１】
2008131394.tif 000003
【図２】
2008131394.tif 000004
【図３】
2008131394.tif 000005